(57)【要約】【課題】本発明は、極めて商品価値の高い画期的な側溝蓋の持ち上げ装置を提供することを目的とする。【解決手段】側溝蓋１を持ち上げる為の持ち上げ装置であって、上方に握持部２を有し、下方に側溝蓋１に係止し得る側溝蓋係止部３を有する棒状本体４に、この棒状本体４を屈伸自在にする屈伸部５を設けるとともに、この屈伸部５よりも上方位置に屈曲方向に突出する突出部６を設け、前記側溝蓋係止部３で側溝蓋１を係止した状態で屈伸部５を屈曲させた際、この係止した側溝蓋１に隣接する他の側溝蓋１若しくはその周辺部位に接地するように前記突出部６を構成し、この突出部６を支点にして握持部２を押し下げることで、前記側溝蓋係止部３で係止した側溝蓋１を持ち上げられるように構成したものである。【選択図】        図１
2005042359.tif 000002
【特許請求の範囲】
【請求項１】
側溝蓋を持ち上げる為の持ち上げ装置であって、上方に握持部を有し、下方に側溝蓋に係止し得る側溝蓋係止部を有する棒状本体に、この棒状本体を屈伸自在にする屈伸部を設けるとともに、この屈伸部よりも上方位置に屈曲方向に突出する突出部を設け、前記側溝蓋係止部で側溝蓋を係止した状態で屈伸部を屈曲させた際、この係止した側溝蓋に隣接する他の側溝蓋若しくはその周辺部位に接地するように前記突出部を構成し、この突出部を支点にして握持部を押し下げることで、前記側溝蓋係止部で係止した側溝蓋を持ち上げられるように構成したことを特徴とする側溝蓋持ち上げ装置。
【請求項２】
前記側溝蓋係止部で係止した側溝蓋に隣接する他の側溝蓋若しくはその周辺部位に前記突出部が接地した際、この接地面に対して棒状本体が起き上がり傾斜状態となるように前記突出部の突出度合いが設定されていることを特徴とする請求項１記載の側溝蓋持ち上げ装置。
【請求項３】
前記突出部は、基端部が前記棒状本体に枢着される擺動部材で構成され、棒状本体を起き状態とした際、棒状本体に対して添設状態となり、棒状本体を伏し状態とした際、自重により擺動して棒状本体に対して立ち上がり状態となり先端部が接地部となるように前記突出部は構成されていることを特徴とする請求項１，２のいずれか１項に記載の側溝蓋持ち上げ装置。
【請求項４】
前記側溝蓋係止部として、側溝蓋の下面に係止する下面係止部と、棒状本体に対して上下方向にスライド移動し、側溝蓋の上面に係止する上面係止部とで構成され、側溝蓋を挟持した状態で係止し得る側溝蓋係止部を採用したことを特徴とする請求項１〜３のいずれか１項に記載の側溝蓋持ち上げ装置。
【請求項５】
前記屈伸部に、棒状本体の屈曲作動を阻止する屈曲阻止機構を設けたことを特徴とする請求項１〜４のいずれか１項に記載の側溝蓋持ち上げ装置。
【発明の詳細な説明】
【０００１】
【発明の属する技術分野】
本発明は、側溝蓋持ち上げ装置に関するものである。
【０００２】
【従来の技術及び発明が解決しようとする課題】
従来から、道路脇や駐車場などに形成される側溝（Ｕ字溝）の上部開口部を閉塞する側溝蓋を持ち上げて開放する為の側溝蓋持ち上げ装置（以下、従来例）が提案されている。
【０００３】
この従来例は、上部に握持部を設けた棒状本体の下部に側溝蓋の下面に係止せしめる鉤形状の係止部を設けた構成であり、この係止部を側溝蓋の端部中央位置に形成される凹所から配して側溝蓋の下面に係止させ、この状態で棒状本体を引上げることで側溝蓋を持ち上げることができるものである。
【０００４】
ところで、この側溝蓋は、側溝の長さ方向に形成される段部に配設されているが、この段部と側溝蓋の側縁との隙間に土やゴミなどが詰まってしまい（この隙間は、側溝蓋の開閉を良好にするために必須である。）、この土やゴミなどがクサビ（楔）のような状態となり、単に従来例のように力任せに引上げるようにして側溝蓋を持ち上げようとしても、なかなか側溝蓋は持ち上がらない場合が多い（側溝蓋は頻繁に開閉するものではない為、隙間には土やゴミが詰まって固まり易い。）。
【０００５】
本出願人は、前述した問題点に着目し、種々の実験・研究を重ねた結果、極めて商品価値の高い画期的な側溝蓋持ち上げ装置を開発した。
【０００６】
【課題を解決するための手段】
添付図面を参照して本発明の要旨を説明する。
【０００７】
側溝蓋１を持ち上げる為の持ち上げ装置であって、上方に握持部２を有し、下方に側溝蓋１に係止し得る側溝蓋係止部３を有する棒状本体４に、この棒状本体４を屈伸自在にする屈伸部５を設けるとともに、この屈伸部５よりも上方位置に屈曲方向に突出する突出部６を設け、前記側溝蓋係止部３で側溝蓋１を係止した状態で屈伸部５を屈曲させた際、この係止した側溝蓋１に隣接する他の側溝蓋１若しくはその周辺部位に接地するように前記突出部６を構成し、この突出部６を支点にして握持部２を押し下げることで、前記側溝蓋係止部３で係止した側溝蓋１を持ち上げられるように構成したことを特徴とする側溝蓋持ち上げ装置に係るものである。
【０００８】
また、前記側溝蓋係止部３で係止した側溝蓋１に隣接する他の側溝蓋１若しくはその周辺部位に前記突出部６が接地した際、この接地面に対して棒状本体４が起き上がり傾斜状態となるように前記突出部６の突出度合いが設定されていることを特徴とする請求項１記載の側溝蓋持ち上げ装置に係るものである。
【０００９】
また、前記突出部６は、基端部が前記棒状本体４に枢着される擺動部材で構成され、棒状本体４を起き状態とした際、棒状本体４に対して添設状態となり、棒状本体４を伏し状態とした際、自重により擺動して棒状本体４に対して立ち上がり状態となり先端部が接地部となるように前記突出部６は構成されていることを特徴とする請求項１，２のいずれか１項に記載の側溝蓋持ち上げ装置に係るものである。
【００１０】
また、前記側溝蓋係止部３として、側溝蓋１の下面に係止する下面係止部７と、棒状本体４に対して上下方向にスライド移動し、側溝蓋１の上面に係止する上面係止部８とで構成され、側溝蓋１を挟持した状態で係止し得る側溝蓋係止部３を採用したことを特徴とする請求項１〜３のいずれか１項に記載の側溝蓋持ち上げ装置に係るものである。
【００１１】
また、前記屈伸部５に、棒状本体４の屈曲作動を阻止する屈曲阻止機構を設けたことを特徴とする請求項１〜４のいずれか１項に記載の側溝蓋持ち上げ装置に係るものである。
【００１２】
【発明の実施の形態】
好適と考える本発明の実施の形態（発明をどのように実施するか）を、図面に基づいてその作用効果を示して簡単に説明する。
【００１３】
本発明は、例えば棒状本体４の下部に設けた側溝蓋係止部３を側溝蓋１に係止させ、この状態で棒状本体４の上部に設けた握持部２を引上げると、側溝蓋１を持ち上げることができる。
【００１４】
ところで、前述したように例えば側溝蓋１の側縁と側溝の長さ方向に形成される段部との隙間に土やゴミなどが詰まって側溝蓋１が持ち上げにくい状態となっている場合、本発明は、この側溝蓋１を持ち上げ易くするための機能も具備している。
【００１５】
即ち、棒状本体４に、この棒状本体４を屈伸自在にする屈伸部５を設けるとともに、この屈伸部５よりも上方位置に屈曲方向に突出する突出部６を設け、側溝蓋係止部３で側溝蓋１を係止した状態で屈伸部５を屈曲させた際、係止した側溝蓋１に隣接する他の側溝蓋１若しくはその周辺部位に接地するように突出部６を構成し、この突出部６を支点にして握持部２を押し下げることで、側溝蓋係止部３で係止した側溝蓋１を持ち上げられるように構成されている。
【００１６】
つまり、梃（てこ）の原理を利用することで少ない力でも大きな持ち上げ力が得られることになり、前述したような持ち上げにくい状態となっている側溝蓋１を持ち上げ易い状態にすることができる。
【００１７】
このようにして持ち上げ易い状態となった側溝蓋１に側溝蓋係止部３を係止させ、この状態で棒状本体４の上部に設けた握持部２を引上げることで、側溝蓋１を持ち上げることができる。
【００１８】
従って、前述した従来例では持ち上げにくいとされていた状態の側溝蓋１でも確実且つ良好に持ち上げることができることになる。
【００１９】
【実施例】
本発明の具体的な実施例について図面に基づいて説明する。
【００２０】
本実施例は、側溝蓋１を持ち上げる為の装置であって、上部に握持部２を有し、下部に側溝蓋１に係止し得る側溝蓋係止部３を有する棒状本体４に、この棒状本体４を屈伸自在にする屈伸部５を設けるとともに、この屈伸部５よりも上方位置に屈曲方向に突出する突出部６を設け、側溝蓋係止部３で側溝蓋１を係止した状態で屈伸部５を屈曲させた際、この係止した側溝蓋１に隣接する他の側溝蓋１若しくはその周辺部位に接地するように突出部６を構成し、この突出部６を支点にして握持部２を押し下げることで、側溝蓋係止部３で係止した側溝蓋１を持ち上げられるように構成したものである。尚、本実施例では、側溝蓋として、コンクリート製の側溝蓋を図示して説明しているが、金属製の蓋（グレーチング）を持ち上げる際にも使用することが出来るなど、これに限定されるものではない。
【００２１】
具体的には、棒状本体４は、長尺の第一棒部材４Ａと、この第一棒部材４Ａの下端部に連結され、該第一棒体４Ａに比して短い長さの第二棒部材４Ｂとで構成されている。
【００２２】
第一棒部材４Ａは、図１，２に図示したように適宜な金属製の部材を角筒状に形成したものであり、その上端部にして左右側面から両端部が突出する杆部材９が貫通状態に横設されており、この杆部材９は側溝蓋１を引上げる際の握持部２として構成されている。
【００２３】
また、第一棒部材４Ａは、その内部中央位置にして長さ方向に補強板材１３が配設されており、この補強板材１３の左右端面は第一棒部材４Ａの前壁及び後壁夫々の内面に当接状態に設けられている。
【００２４】
従って、第一棒部材４Ａを筒状とすることによる装置自体の軽量化を維持しつつ作業時にかかる荷重に対する強度を飛躍的に向上し得ることになる。
【００２５】
また、第一棒部材４Ａは、その下端部左右側面に後述する第二棒部材４Ｂを連結して屈伸部５を構成する左右一対の連結部材１０ａ，１０ｂが設けられており、この左右の連結部材１０ａ，１０ｂの間に第二棒部材４Ｂの上端部を配し、この状態でボルト１１ａとナット１１ｂとから成る軸部材１１を嵌挿止着することで回動自在に枢着連結されている。
【００２６】
従って、この棒状本体４はこの第一棒部材４Ａと第二棒部材４Ｂとの枢着連結部（屈伸部５）を介して屈伸作動自在となるように構成されている。
【００２７】
また、この屈伸部５を構成する連結部材１０ａ，１０ｂには、屈伸部５における棒状本体４の屈曲作動を阻止する屈曲阻止機構が設けられている。
【００２８】
具体的には、この屈曲阻止機構は、図１，２に図示したように連結部材１０ａ，１０ｂの所定位置にして前述した軸部材１１が嵌挿止着される位置よりも下方位置に止着部材１２を嵌挿止着して構成され、ボルト１２ａと、このボルト１２ａの端部に螺着する蝶ナット１２ａとからなり、この止着部材１２を嵌挿止着することで棒状本体４の屈伸部５による屈曲作動は阻止され、この止着部材１２を取り外すことで屈伸部５による屈伸作動が行えることになる。
【００２９】
また、第一棒部材４Ａは、後述する側溝蓋係止部３で側溝蓋１を係止した状態で屈伸部５を屈曲させた際、この係止した側溝蓋１に隣接する他の側溝蓋１若しくはその周辺部位に接地する突出部６を設けている。
【００３０】
この突出部６は、図１，２に図示したように基端部が第一棒部材４Ａの下方位置にして屈伸部５の近傍位置にコ字状の擺動部材６を枢着して構成されており、棒状本体４を鉛直方向に立てて起き状態とした際、棒状本体４に添設状態となり、屈伸部５を屈曲させて棒状本体４を伏し状態とした際、自重により擺動して棒状本体４に対して立ち上がり状態となり先端部が接地面に対する接地部となるように突出部６は構成されている。
【００３１】
この突出部６の突出度合いは、後述する側溝蓋係止部３で係止した側溝蓋１に隣接する他の側溝蓋１若しくはその周辺部位に突出部６が接地した際、この接地面に対して棒状本体４が、握持部２が突出部６よりも上方位置となるように起き上がり傾斜状態となる長さに設定されている。
【００３２】
従って、この突出部６を支点にして握持部２を押し下げることで、側溝蓋係止部３で係止した側溝蓋１を持ち上げられることになる。
【００３３】
第二棒体４Ｂは、図１，２に図示したように適宜な金属製の部材を角棒状に形成したものであり、その下端部には側溝蓋係止部３が設けられている。
【００３４】
この側溝蓋係止部３は、図１に図示したように第二棒体４Ｂの下端部に設けられ側溝蓋１の下面に係止する下面係止部７と、第二棒体４Ｂに対して上下方向にスライド移動し、側溝蓋１の上面に係止する上面係止部８とで構成されている。
【００３５】
この下面係止部７は、第二棒体４Ｂの下端部にして前方へ突出状態となる鉤状部を形成して構成され、上面係止部８は、第二棒体４Ｂに金属製の板材を回り止め状態にして上下方向にスライド移動自在に被嵌連結して構成されており、上面係止部８は、自重により下端方向へスライドするように構成されている。
【００３６】
従って、下面係止部７を側溝蓋１の下面に係止し、上面係止部８を側溝蓋１の上面に係止させることで側溝蓋１の厚みに合わせて挟持し得ることになり、この挟持状態で棒状本体４を内側へ傾けることで上面係止部８は第二棒部材４Ｂに対して斜め状態となることで係止状態となり、上方へのスライド移動が阻止されて挟持状態が維持されることになる。
【００３７】
以上の構成から成る側溝蓋持ち上げ装置の使用方法について説明する。
【００３８】
例えば棒状本体４の下部に設けた側溝蓋係止部３を側溝蓋１の端部中央部に形成された凹部１ａに係止させ、この状態で棒状本体４の上部に設けた握持部２を引上げると、側溝蓋１を持ち上げることができる。
【００３９】
仮に側溝蓋１の側縁と側溝の長さ方向に形成される段部との隙間に土やゴミなどが詰まって側溝蓋１が持ち上げにくい状態となっている場合、側溝蓋係止部３で側溝蓋１を係止した状態で屈伸部５を屈曲させ、この係止した側溝蓋１に隣接する他の側溝蓋１若しくはその周辺部位に突出部６を接地させ（図３参照）、この状態で突出部６を支点にして握持部２を押し下げることで、側溝蓋係止部３で係止した側溝蓋１を梃（てこ）の原理を利用して楽に持ち上げる（側溝蓋１の側縁と側溝の長さ方向に形成される段部との隙間に詰まった土やゴミなどを崩す）ことができる（図４参照）。
【００４０】
このようにして持ち上げ易い状態となった側溝蓋１の左右両端部に対して、一対の持ち上げ装置に係る側溝蓋係止部３を係止させ、この状態で棒状本体４の上部に設けた握持部２を引上げることで、側溝蓋１を持ち上げることができる（図５，６参照）。
【００４１】
よって、本実施例によれば、前述した従来例では持ち上げにくいとされていた状態の側溝蓋１でも良好に持ち上げることが出来ることになる。
【００４２】
また、本実施例は、側溝蓋係止部３で係止した側溝蓋１に隣接する他の側溝蓋１若しくはその周辺部位に突出部６が接地した際、この接地面に対して棒状本体４が起き上がり傾斜状態となるように突出部６の突出度合いが設定されているから、より一層楽に側溝蓋係止部３で係止した側溝蓋１を持ち上げることができることができる。
【００４３】
また、本実施例は、突出部６は、基端部が棒状本体４に枢着される擺動部材６で構成され、棒状本体４を縦状態とした際、棒状本体４に対して添設状態となり、棒状本体４を横状態とした際、自重により擺動して棒状本体４に対して立ち上がり状態となり先端部が接地部となるように突出部６は構成されているから、握持部２を引上げて側溝蓋１を持ち上げようとする際には、この突出部６は邪魔にならない状態であり、この突出部６の機能を利用する際には擺動して立ち上がり状態となり接地面に接地して良好に機能することになる。
【００４４】
また、本実施例は、側溝蓋係止部３として、側溝蓋１の下面に係止する下面係止部７と、棒状本体４に対して上下方向にスライド移動し、側溝蓋１の上面に係止する上面係止部８とで構成され、側溝蓋１を挟持した状態で係止し得る側溝蓋係止部３を採用したから、持ち上げようとする側溝蓋１に対する堅固な係止状態が得られることになり、しかも、何ら複雑な構造ではなく簡易構造故にコスト安にして量産性に秀れることになる。
【００４５】
また、本実施例は、屈伸部５に、棒状本体４の屈曲作動を阻止する屈曲阻止機構を設けたから、握持部２を引上げて側溝蓋１を持ち上げようとする際には、棒状本体４が揺れたりすることなく安全且つ確実に側溝蓋１の持ち上げ作業が行えることになる。
【００４６】
尚、本発明は、本実施例に限られるものではなく、各構成要件の具体的構成は適宜設計し得るものである。
【００４７】
【発明の効果】
本発明は上述のように構成したから、従来例では持ち上げにくいとされていた状態の側溝蓋でも良好に持ち上げることが出来ることになるなど極めて商品価値の高い画期的な側溝蓋持ち上げ装置となる。
【００４８】
また、請求項２記載の発明においては、より一層楽に側溝蓋係止部で係止した側溝蓋１を持ち上げることができることができるなど極めて商品価値の高い画期的な側溝蓋持ち上げ装置となる。
【００４９】
また、請求項３記載の発明においては、握持部を引上げて側溝蓋を持ち上げる作業と、突出部の機能を利用して側溝蓋を持ち上げる作業とが良好に行えることになるなど極めて商品価値の高い画期的な側溝蓋持ち上げ装置となる。
【００５０】
また、請求項４記載の発明においては、持ち上げようとする側溝蓋に対する堅固な係止状態が得られることになり、しかも、何ら複雑な構造ではなく簡易構造故にコスト安にして量産性に秀れることになるなど極めて商品価値の高い画期的な側溝蓋持ち上げ装置となる。
【００５１】
また、請求項５記載の発明においては、安全且つ確実に側溝蓋の持ち上げ作業が行えることになるなど極めて商品価値の高い画期的な側溝蓋持ち上げ装置となる。
【図面の簡単な説明】
【図１】本実施例を示す斜視図である。
【図２】本実施例に係る要部の正面図である。
【図３】本実施例の概略動作説明図である。
【図４】本実施例の概略動作説明図である。
【図５】本実施例の使用状態説明図である。
【図６】本実施例の使用状態説明図である。
【符号の説明】
１  側溝蓋
２  握持部
３  側溝蓋係止部
４  棒状本体
５  屈伸部
６  突出部
７  下面係止部
８  上面係止部
【図１】
2005042359.tif 000003
【図２】
2005042359.tif 000004
【図３】
2005042359.tif 000005
【図４】
2005042359.tif 000006
【図５】
2005042359.tif 000007
【図６】
2005042359.tif 000008